【手続補正書】
【提出日】平成20年7月17日(2008.7.17)
【手続補正１】
【補正対象書類名】明細書
【補正対象項目名】特許請求の範囲
【補正方法】変更
【補正の内容】
【特許請求の範囲】
【請求項１】  押出し式仕分けアセンブリにおいて、無端ウェブを形成した相互接続された複数のスラットが設けられており、前記ウェブの上側走行部分が搬送面を形成しており、該搬送面上で物品を側方へ押し出すために前記複数のスラットのうちの少なくとも幾つかに沿って滑動する押付シューが設けられており、前記それぞれのスラットが、上面部分と、下面部分と、前面部分と、後面部分とを含む外面を有しており、前記前面部分又は後面部分の一方が、概して凹面状の面を有しており、前記前面部分又は後面部分の他方が、概して凸面状の面を有しており、これにより、隣接しあう前記スラットが、相補的に面した部分を有していることを特徴とする、押出し式仕分けアセンブリ。
【請求項２】  前記概して凹面状の面部分又は概して凸面状の面部分のうちの一方が、第１の曲率半径を有しており、前記概して凹面状の面部分又は概して凸面状の面部分のうちの他方が、第２の曲率半径を有しており、前記第１及び第２の半径が、共通の中心を有している、請求項１記載の仕分けアセンブリ。
【請求項３】  前記概して凹面状の面部分又は概して凸面状の面部分のうちの少なくとも一方が、アーチ状のセグメントを有している、請求項２記載の仕分けアセンブリ。
【請求項４】  前記概して凹面状の面部分又は概して凸面状の面部分のうちの少なくとも一方が、平坦なセグメントを有している、請求項２記載の仕分けアセンブリ
【請求項５】  ウェブを支持するための車輪アセンブリが設けられており、該車輪アセンブリが、前記第１及び第２の半径のうちの一方の中心においてスラット支持車輪を有している、請求項２記載の仕分けアセンブリ。
【請求項６】  前記スラット外面が、前記スラットの全ての向きにおいて前記搬送面に又は該搬送面の下方に位置している、請求項１記載の仕分けアセンブリ。
【請求項７】  押出し式仕分けアセンブリにおいて、
無端ウェブを形成した複数の相互接続されたスラットが設けられており、前記無端ウェブが、上側走行部分と、下側走行部分と、上側走行部分と下側走行部分との間の移行部分とを有しており、前記ウェブの上側走行部分が搬送面を形成しており、
該搬送面上で物品を側方へ押し出すために前記複数のスラットのうちの少なくとも幾つかに沿って滑動する押付シューが設けられており、
前記ウェブを推進するためのリニアモータ推進システムが設けられており、該リニアモータ推進システムが、少なくとも１つのモータ一次側と、前記スラットにおける複数のモータ二次側とを有しており、
前記少なくとも１つのモータ一次側が前記上側走行部分と下側走行部分との間に設けられていることを特徴とする、押出し式仕分けアセンブリ。
【請求項８】  前記押付シューを選択的に側方へ逸らせるための複数の逸らせアセンブリが設けられており、前記少なくとも1つの一次側が、前記ウェブの上側走行部分に隣接して、前記逸らせアセンブリが配置されていない箇所に配置されている、請求項７記載の仕分けアセンブリ。
【請求項９】  前記少なくとも１つのモータ一次側が、上方から前記下側走行部分においてスラットを推進するようになっている、請求項７記載の仕分けアセンブリ。
【請求項１０】  前記少なくとも1つのモータ一次側が、前記下側走行部分において前記スラットを持ち上げることなしに前記ウェブを推進するための十分な推力を生ぜしめるように構成されている、請求項９記載の仕分けアセンブリ。
【請求項１１】  押出し式仕分けアセンブリにおいて、
無端ウェブを形成する複数の相互接続されたスラットが設けられており、前記ウェブの上側部分が搬送面を形成しており、
前記搬送面上で物品を側方へ押し出すために、前記複数のスラットのうちの少なくとも幾つかに沿って滑動する押付シューが設けられており、
リニアモータ推進システムが設けられており、該リニアモータ推進システムが、前記ウェブに隣接した少なくとも１つのモータ一次側と、前記スラット内の複数のモータ二次側とを有しており、前記リニアモータ推進システムが、少なくとも１つのモータ一次側と、該少なくとも１つのモータ一次側を通過する１つの前記モータ二次側との間の磁気境界面を形成しており、
前記それぞれの押付シューと、対応する前記スラットとの間に横方向安定装置が設けられていることを特徴とする、押出し式仕分けアセンブリ。
【請求項１２】  前記横方向安定装置が、前記シュー又は前記スラットのうち一方の横方向延長部を有しており、該横方向延長部が、前記シュー又はスラットのうち他方に設けられた凹所内へ突出しており、前記横方向安定装置が、前記磁気境界面の実質的に外側に位置している、請求項１１記載の仕分けアセンブリ。
【請求項１３】  前記それぞれのスラットが、下面部分を含む面を有しており、前記横方向安定装置が、前記下面部分に配置されており、前記モータ二次側が、前記下面部分に隣接している、請求項１２記載の仕分けアセンブリ。
【請求項１４】  押出し式仕分けアセンブリにおいて、
無端ウェブを形成する複数の相互接続されたスラットが設けられており、前記ウェブの上側走行部分が搬送面を形成しており、前記それぞれのスラットが、スラットの内部を形成した外壁を有しており、
前記搬送面上で物品を側方に押し出すために、前記複数のスラットのうちの少なくとも幾つかに沿って滑動する押付シューが設けられており、
支持軌道ネットワークが設けられており、
該支持軌道ネットワーク上で移動するようにそれぞれのスラットを支持する少なくとも１つの車輪を有する車輪アセンブリが設けられており、
前記それぞれのスラットが、上壁部分と底壁部分とを有する外壁と、該外壁内における少なくとも１つの取付け部材とを有しており、
前記車輪が、関連するスラットの前記内部へ突出した軸を中心に回転することを特徴とする、押出し式仕分けアセンブリ。
【請求項１５】  前記車輪アセンブリが、隣接しあうスラットを連結するプレートアセンブリを有している、請求項１４記載の仕分けアセンブリ。
【請求項１６】  前記車輪が、隣接しあう前記プレートと結合されたシャフトによって回転可能に支持されており、これにより、隣接しあうスラットを旋回可能に連結している、請求項１５記載の仕分けアセンブリ。
【請求項１７】  前記軸が、前記上壁部分よりも前記底壁部分に実質的に近く配置されている、請求項１４記載の仕分けアセンブリ。
【請求項１８】  押出し式仕分けアセンブリにおいて、
無端ウェブを形成した複数の相互接続されたスラットが設けられており、前記無端ウェブが、上側走行部分と、下側走行部分と、上側走行部分と下側走行部分との間の移行部分とを有しており、前記ウェブの上側走行部分が搬送面を形成しており、前記搬送面上で物品を側方へ押し出すために、前記複数のスラットのうちの少なくとも幾つかに沿って滑動する押付シューが設けられており、
支持軌道ネットワークが設けられており、該支持軌道ネットワークが、上側及び下側の軌道部分と、該上側軌道部分と下側軌道部分との間の移行軌道部分とを有しており、
前記支持軌道ネットワークにおいて移動するように前記無端ウェブを可動に支持する車輪アセンブリが設けられており、
前記支持軌道ネットワークのうちの少なくとも１つが、上側部分と、下側部分と、前記上側部分と下側部分との間の移行部分とを有しており、前記移行軌道部分が、側面図で見て非円形の支持面を有していることを特徴とする、押出し式仕分けアセンブリ。
【請求項１９】  押出し式仕分けアセンブリにおいて、
無端ウェブを形成した複数の相互接続されたスラットが設けられており、前記無端ウェブが、上側走行部分と、下側走行部分と、上側走行部分と下側走行部分との間の移行部分とを有しており、前記ウェブの上側走行部分が搬送面を形成しており、
該搬送面上において物品を側方へ押し出すために、前記複数のスラットのうちの少なくとも幾つかに沿って滑動する押付シューが設けられており、
支持軌道ネットワークが設けられており、
該支持軌道ネットワーク上で移動するように前記無端ウェブを可動に支持する車輪アセンブリが設けられており、
前記支持軌道ネットワークが、定置部分と、前記ウェブの伸縮を提供する可動部分と、前記定置部分と可動部分との間の軌道ネットワーク連続性を提供するために前記定置部分と可動部分との間に設けられた少なくとも１つの伸縮継手とを有していることを特徴とする、押出し式仕分けアセンブリ。
【請求項２０】  前記少なくとも１つの伸縮継手が、複数の組み合わされたフィンガを含んでいる、請求項１９記載の仕分けアセンブリ。
【請求項２１】  押出し式仕分けアセンブリにおいて、
無端ウェブを形成した複数の相互接続されたスラットが設けられており、前記無端ウェブが、上側走行部分と、下側走行部分と、上側走行部分と下側走行部分との間の移行部分とを有しており、前記ウェブの前記上側走行部分が搬送面を形成しており、
該搬送面上で物品を側方へ押し出すために、前記複数のスラットのうちの少なくとも幾つかに沿って滑動する押付シューが設けられており、
支持軌道ネットワークが設けられており、
前記支持軌道ネットワーク上で移動するように前記無端ウェブを可動に支持する車輪アセンブリが設けられており、
前記支持軌道ネットワークが、定置部分と、可動部分と、力発生部材とを有しており、前記定置部分に対する前記可動部分の移動が、前記ウェブの伸縮を提供し、前記力発生部材が、前記可動部分の位置に拘わらず前記可動部分に実質的に一定の力を加えることを特徴とする、押出し式仕分けアセンブリ。
【請求項２２】  前記力発生部材が、前記可動部分に実質的に水平方向の力を加える、請求項２１記載の仕分けアセンブリ。
【請求項２３】  前記力発生部材が、ウェイトアセンブリと、該ウェイトアセンブリによって形成された重力を、前記可動部分に対する外向きの力に変換するためのケーブルシステムとを含んでいる、請求項２１記載の仕分けアセンブリ。
【請求項２４】  前記力発生部材が、前記可動部分に実質的に水平方向の力を加える、請求項２３記載の仕分けアセンブリ。
【請求項２５】  前記ウェイトアセンブリが、調節可能な質量を有している、請求項２３記載の仕分けアセンブリ。
【請求項２６】  押出し式仕分けアセンブリにおいて、
無端ウェブを形成した複数の相互接続されたスラットが設けられており、前記無端ウェブが、上側走行部分と、下側走行部分と、上側走行部分と下側走行部分との間の移行部分とを有しており、前記ウェブの上側走行部分が搬送面を形成しており、
該搬送面上で物品を側方へ押し出すために、前記複数のスラットのうちの少なくとも幾つかに沿って滑動する押付シューが設けられており、
支持軌道ネットワークが設けられており、
該支持軌道ネットワーク上で移動するように前記無端ウェブを可動に支持する車輪アセンブリが設けられており、
前記搬送面上で物品を逸らせるために前記搬送面の側方に前記押付シューを選択的にずらすための、複数の逸らせ装置及び関連する逸らせレールが設けられており、
前記支持軌道ネットワークと、前記逸らせ装置と、前記逸らせレールとを支持するためのフレームが設けられており、該フレームが、少なくとも２つの水平部材を有しており、該水平部材が、該水平部材に沿って固定手段チャネルを形成しており、前記逸らせ装置及び逸らせレールが、前記固定手段チャネルに係合する固定手段によって、前記フレームに沿った選択された位置において選択的に取り付けられることができることを特徴とする、押出し式仕分けアセンブリ。
【請求項２７】  押出し式仕分けアセンブリにおいて、
無端ウェブを形成した複数の相互接続されたスラットが設けられており、前記ウェブの上側部分が搬送面を形成しており、
該搬送面上で物品を側方へ押し出すために、前記複数のスラットのうちの少なくとも幾つかに沿って滑動する押付シューが設けられており、
前記無端ウェブのための閉ループ推進システムが設けられており、該推進システムが、少なくとも１つのモータと、前記ウェブの移動を検出するためのウェブセンサと、前記ウェブセンサに応答して、前記少なくとも１つのモータを、前記無端ウェブの物品荷重の変動により生じる速度変化を減じるような形式で作動させるための制御装置を含んでいることを特徴とする、押出し式仕分けアセンブリ。
【請求項２８】  前記ウェブセンサが、スラットセンサを含んでいる、請求項２７記載の仕分けアセンブリ。
【請求項２９】  前記ウェブセンサが、スラットの間の移行部を認識する、請求項２８記載の仕分けアセンブリ。
【請求項３０】  前記ウェブセンサが、さらに少なくとも１つの特定のスラットを認識する、請求項２８記載の仕分けアセンブリ。
【請求項３１】  前記ウェブセンサが、複数の特定のスラットを認識する、請求項３０記載の仕分けアセンブリ。
【請求項３２】  前記推進システムが、リニアモータ推進システムを含んでおり、前記少なくとも１つのモータが、少なくとも１つのリニアモータ一次側と、前記スラット内の複数のモータ二次側とを含んでいる、請求項２７記載の仕分けアセンブリ。
【請求項３３】  前記少なくとも１つのリニアモータ一次側が、複数のリニアモータ一次側を含んでおあり、前記制御装置が、前記複数のリニアモータ一次側を、前記無端ウェブの物品荷重の変動により生じる前記複数のリニアモータの速度変化を減じるような形式で作動させる、請求項３２記載の仕分けアセンブリ。
【請求項３４】  前記制御装置が、前記複数のリニアモータ一次側を作動させるために、前記複数のリニアモータ一次側にデジタル信号を提供する、請求項３３記載の仕分けアセンブリ。
【請求項３５】  前記リニアモータ一次側が、アナログ電圧制御式可変周波数駆動装置と、該可変周波数駆動装置によって供給されるコイルとを含んでおり、前記制御装置が、マイクロコントローラと、デジタル−アナログ変換機とを前記可変周波数駆動装置に有している、請求項３４記載の仕分けアセンブリ。
【請求項３６】  前記推進システムが、アイドル速度モードを有しており、該アイドル速度モータにおいて、物品が前記搬送面に供給されていない場合に前記ウェブが低速で推進されるようになっている、請求項３２記載の仕分けアセンブリ。
【請求項３７】  押出し式仕分けアセンブリにおいて、
無端ウェブを形成した複数の相互接続されたスラットが設けられており、前記ウェブの上側走行部分が搬送面を形成しており、
該搬送面上で物品を側方へ押し出すために、前記複数のスラットのうちの少なくとも幾つかに沿って滑動する押付シューが設けられており、
前記ウェブを推進するためのリニアモータ推進システムが設けられており、該リニアモータ推進システムが、少なくとも１つの一次側と、前記スラット内の磁気プレートを含む複数のモータ二次側とを含んでおり、
前記磁気プレートが、関連するスラットの内方から固定されることによって、関連するスラット内に保持されていることを特徴とする、押出し式仕分けアセンブリ。
【請求項３８】  前記磁気プレートが、前記モータ磁気プレートと、関連するスラットとの間の締りばめによって関連するスラットの内方から固定されている、請求項３７記載の仕分けアセンブリ。
【請求項３９】  前記磁気プレートが、スラットの一部を変形させることによって関連するスラットの内方から固定されている、請求項３７記載の仕分けアセンブリ。
【請求項４０】  前記磁気プレートが、磁気プレートのうちの少なくとも１つと、対応するスラットとの間の挿入体によって、関連するスラットの内方から固定されている、請求項３７記載の仕分けアセンブリ。
【請求項４１】  前記磁気プレートが、接着剤によって、関連するスラットの内方から固定されている、請求項３７記載の仕分けアセンブリ。
【請求項４２】  物品を仕分けする方法において、
無端ウェブを形成する複数の相互接続されたスラットを提供し、前記ウェブの上側部分が搬送面を形成しており、
該搬送面上で物品を側方へ押し出すために、前記複数のスラットの少なくとも幾つかに沿って滑動する押付シューを提供し、
ウェブセンサを提供し、該ウェブセンサを用いて前記ウェブの移動を検出し、
少なくとも１つのモータを含む推進システムを提供し、
少なくとも前記ウェブセンサの出力に関して前記少なくとも１つのモータを作動させ、これにより、前記無端ウェブの物品荷重の変動により生じる速度変化を減じることを特徴とする、物品を仕分けする方法。
【請求項４３】  前記ウェブセンサがスラットセンサを含んでいる、請求項４２記載の方法。
【請求項４４】  前記近接センサを用いてスラットの間の移行部を認識する、請求項４３記載の方法。
【請求項４５】  前記ウェブセンサを用いて少なくとも１つの特定のスラットを認識する、請求項４３記載の方法。
【請求項４６】  前記推進システムが、リニアモータ推進システムを含んでおり、前記少なくとも１つのモータが、少なくとも１つのリニアモータ一次側と、前記スラット内の複数のモータ二次側とを含んでいる、請求項４２記載の方法。
【請求項４７】  前記少なくとも１つのリニアモータ一次側が、複数のリニアモータ一次側を含んでおり、さらに前記ウェブセンサの前記出力に関して複数のリニアモータ一次側を作動させる、請求項４６記載の方法。
【請求項４８】  前記複数のリニアモータ一次側を作動させることが、前記複数のリニアモータ一次側にデジタル信号を提供し、該デジタル信号によって前記リニアモータ一次側を調節することを含む、請求項４７記載の方法。
【請求項４９】  前記少なくとも１つのモータ一次側を前記ウェブの下側走行部分に隣接して提供し、スラットを前記下側走行部分において上方から、前記少なくとも１つのモータ一次側を用いて推進し、前記下側走行部分において前記スラットを持ち上げることなく前記ウェブを推進するための十分な推力を生ぜしめる、請求項４６記載の方法。
【請求項５０】  物品が前記搬送面に提供されていないときには前記ウェブを低速で推進させる、請求項４６記載の方法。